【事件の表示】
　平成　４年特許願第２７２３６４号「動画像復号化装置」拒絶査定に対する審判事件［平成　６年　４月　８日出願公開、特開平　６−　９８３１３］について、次のとおり審決する。
【結　論】
　本件審判の請求は、成り立たない。
【理　由】
１．手続きの経緯、本願発明
　本願は、平成４年９月１４日の出願であって、その特許請求の範囲の請求項２に係る発明（以下「本願発明」という。）は、手続補正書により補正された明細書および図面の記載からみて、次のとおりのものである。
「少なくとも画面内符号化画像データ、前方向予測符号化画像データ及び両方向予測符号化画像データにより構成される画像データを復号化する動画像復号化装置であつて、
　伝送されて来る上記画像データに誤りがあつた場合に誤り訂正を行う誤り訂正手段と、
　上記誤り訂正手段で誤り訂正ができない上記画像データが前方向予測符号化画像データのときには、当該前方向予測符号化画像データ、及び当該前方向予測符号化画像データが正常に復号化できないことにより復号不能となった前方向予測符号化画像データ及び両方向予測符号化画像データの表示のタイミングで、正常に復号化された先の画像を表示するよう制御する制御手段と
　を具えることを特徴とする動画像復号化装置。」
　
２．刊行物記載の発明
　これに対して、原査定の拒絶の理由に引用された、本願発明の出願日前に頒布された刊行物である米国特許第５１４６３２５号明細書（以下「刊行物１」という。）には、次のことが記載されていると認められる。
（ａ）国際標準化機構が作成したビデオ圧縮標準（ＭＰＥＧ標準）の特徴は、フレーム内とフレーム間の両符号化手法を、離散的余弦変換、ランレングス符号化および統計的符号化と併用したことにあり、フレーム内符号化とは、単一のソース・フレームからのイメージフレームを符号化して、フレーム内符号化データだけからイメージを再構築するのに充分な符号化データを得ることであり、フレーム間符号化とは、例えば、現ソース・フレームからの情報と、先行フレームから予測されるフレームからの情報との差から符号化フレームデータを生成することであり、そのために、先行フレームからの情報がないと、フレーム間符号化データのフレームからイメージを再構築することができない。
　ＭＰＥＧシステムは、２種類のフレーム間符号化を取り入れている。最初の符号化は、現フレームと単一の先行フレームから予測フレーム（Ｐフレームと呼ばれる）を生成するものであり、２番目の符号化は、現フレームおよび先行フレームと後続フレームの一方または両方から双方向予測フレーム（Ｂフレームと呼ばれる）を生成するものである。
　例えば、フレームがＦ１、Ｆ２、Ｆ３、Ｆ４・・・のシーケンスで現れるものとし、フレームＦ１をフレーム内符号化（Ｉフレームと呼ばれる）し、フレームＦ２とＦ３をＢフレーム符号化し、フレームＦ４をＰフレーム符号化する場合、Ｐ符号化フレームは、フレームＦ４と、ＩフレームＦ１のデコード化バージョンだけから生成された予測フレームとの差から生成され、フレームＦ２（Ｆ３）を表すＢ符号化フレームは、フレームＦ２（Ｆ３）と、ＩフレームＦ１のデコード化バージョンとＰフレームＦ４のデコード化バージョンの両方から生成された予測フレームとの差から生成される（第１欄第２５行ないし５５行参照）。
　
（ｂ）符号化ビデオ信号は、第１Ｂ図に示すように、偶数フィールドは奇数フィールドから独立して符号化され、第１Ｃ図に示すような、ＭＰＥＧシステムで伝送されるときのフィールドシーケンスを有している。例えば、双方向予測符号化フィールド３と５は、その一部がＩフィールド１とＰフィールド７から生成される。Ｂフィールド３と５をデコード化するためには、Ｉフィールド１とＰフィールド７が、その前にデコード化されていなければならない。従って、デコード化を容易にし、受像機で要求されるデータ・ストア量を減少するために、符号化Ｂフィールドは、その前にデコード化が行われるＩフィールドとＰフィールドの出現の後に続くように配列されている（第３欄第４７行ないし第４８行、第４欄第１６行ないし第２５行、第１Ｂ、１Ｃ図参照）。
　
（ｃ）第４図は、フレーム内およびフレーム間符号化モードのシーケンスで独立に符号化され、インタリーブした奇数および偶数フィールドとして現れた送信圧縮ビデオ信号を処理する受信装置の例を示したものである。送信信号は検出器４０によって検出されるが、この検出器は、チューナ、ＩＦ回路およびＱＡＭデモデュレータで構成することができる。検出器４０は、第２図のトランスポート・パケット化回路２０から出力された信号に従って信号を出力する。この信号はトランスポート処理回路４３に入力される。トランスポート処理回路４３はエラー検査／訂正回路を含んでおり、この回路は送信信号に付加されたエラー検査コードに応じて、送信中に発生した信号エラーを訂正する。訂正不能なエラーが発生したときは、フラグが生成され、受信システム・コントローラ４２へ伝えられる。
　トランスポート・プロッセサ４３は、送信信号をトランスポート・ブロック形式から、第２図のバッファ１８、１９から取り出した圧縮情報に一致する形式のデータに作り替え、このデータはマルチプレクサ４４を介して、奇数フィールドデータを圧縮解除回路４５へ、偶数フィールドデータを圧縮解除回路４６へ渡すようにする。圧縮解除回路４５、４６は、それぞれ奇数と偶数フィールドの圧縮ビデオ・データの圧縮解除を行い、圧縮解除されたビデオ信号をバッファメモリ４７、４８へ送る。バッファ・メモリ４７、４８からの並び替えられたデータはマルチプレクサ５１に入力され、マルチプレクサ５１は、データの損失または破壊がない定常状態にあるときは、データの奇数フィールドと偶数フィールドを交互にビデオ表示ＲＡＭに入力され、当該表示ＲＡＭから読み出されて表示される（第８欄第１３行ないし第５６行、第４図参照）。
　
（ｄ）スタートアップ時には、フレーム間符号化フィールド（ＰまたはＢ）を再現するには、フレーム内符号化フィールドからのデータが必要であるので、イメージ再現は、少なくとも１つのフレーム内符号化フィールドが受信されるまで行うことができない。コントローラはフレーム内符号化フィールドが受信されるまで、受信したフィールド・データの表示を禁止し、フレーム内符号化フィールドが受信されると、最初に現れたフレーム内符号化フィールドと同じタイプ（奇数または偶数）の連続するフィールドについて圧縮解除が行われる（第８欄第６８行ないし第９欄第１０行）。
　最初のフレーム内符号化フィールドが奇数であるものとすると、連続する奇数フィールドは圧縮解除され、バッファメモリ４７からマルチプレクサ５１へ送られる。この時点で受信データの表示に関していくつかのオプションが選択でき、その一つである第３のオプションは、奇数フィールドデータを表示ＲＡＭの奇数フィールドラインに書き出し、次に、同じフィールドをバッファメモリ４７から読み取って、マルチプレクサ４９を経由し、インタポレータ５０に入力し、インタポレータ５０は、奇数フィールド信号の連続するペアのラインから補間されたデータライン（垂直平均）を生成する。これにより、疑似偶数データラインが作成され、これらのラインは、表示ＲＡＭ５２の偶数フィールドラインに書き込まれる（第９欄第３３行ないし第５５行参照）。
　
（ｅ）前述したように、トランスポート・プロセッサは、損失または訂正不能エラーを示すエラーフラグを出すことがある。このようなエラーや損失データから起こるおそれのある望ましくない画像の破壊を改善するために、コントローラは、受信システムが壊れていない信号を代用できるようにする構成にすることが可能である。
　データの損失がＰフィールドで起こったときは、コントローラはシステムがオプション３に従って動作するように構成することが可能である。また、損失データがＢフィールドに見つかったときは、コントローラは、システムがオプション２または３に従って、１フィールド単位あるいは部分フィールド単位でこのデータを補間されたデータで置き換えるようにすることが可能である。（第１０欄第８行ないし第２７行参照）。
　
（ｆ）受信側では、システム・コントローラ４２には、それぞれのフィールドのそれぞれのスライスのエラー標識がトランスポート・プロセッサ４３から送られてきたとき、それをストアするためのエラー・メモリを含めることができ、このエラー・メモリは、第７図に示されるように、フィールド・グループ（奇数または偶数）のスライス・エラー・データをストアするのに十分な記憶容量を持ち、フィールド・エラー・メモリの各列は、フィールド・グループ（ＧＯＦ）内の特定フィールドのスライス・エラー・データを表している。また、それぞれのフィールドのタイプは各カラムの上部に英字Ｉ、Ｂ、Ｐで示されている。列１についてみるとエラー「１」はスライス３に見つかっている。このエラーは、圧縮解除時に残りのフィールド全てに伝わるであろう。従って、適切なエラー隠しのためには、エラー標識をエラー・メモリ内で伝播させる必要がある。エラー標識の伝播は、スライス３において列１から列９への矢印で示されている。同様に、Ｐフィールドの場合のエラー標識の伝播は、メモリ内にそれぞれの矢印で示されている（第１２欄第６５行ないし第１３欄第１９行、第７図参照）。
　
（ｇ）エラー・マップ・データは、例えば圧縮解除コントローラ３０２に入力され、このデータを受けて、マルチプレクサ３２２は、エラーを含むとされた圧縮解除画像データの現スライスに代えて、先行フィールドからの補間されたスライスを表示ＲＡＭ３１８へ送る（第１４欄第２２行ないし第２７行）。
　
　また、原査定の拒絶の理由に引用された特開昭５７−４６７７号公報（以下「刊行物２」という。）には、以下のことが記載されている。
（ｈ）映像信号の複合化装置に関し、送信側から受信側へフレーム間符号化した映像信号を伝送するとともに、一定周期（例えば、水平走査線１０５本毎にリフレッシュラインを選定し、かつフレーム毎にリフレッシュラインの位置を順次移動させる。そうすると全ラインのリフレッシュが終了するには約３．５秒かかる。）でリフレッシュモードによりフレーム間符号化しない映像信号を伝送し、前記受信側では、前記フレーム間符号化した映像信号をフレームメモリと加算回路とによりフレーム間復号化して前記フレームメモリの書き換えを行いかつ前記リフレッシュモードの映像信号をフレーム間復号化することなく出力するとともに前記フレームメモリの書き換えを行う方式において、伝送誤り検出により前記フレーム間復号化を停止して前記フレームメモリの前フレームの内容を映像信号として出力し、モード検出手段によりリフレッシュモードを検出したときのライン番号をライン番号メモリに記憶させ、かつリフレッシュモードの映像信号を前記フレームメモリに書き込み、次のフレームの前記ライン番号メモリに記憶されたライン番号のラインのフレーム間符号化信号については、フレーム間復号化を行うことが記載されている（特許請求の範囲、第２頁左上欄１５ないし２０行参照）。
　
３．対比
　上記（ａ）ないし（ｃ）の記載からすると、刊行物１に記載された発明（以下「刊行物１発明」という）は、フレーム内符号化されたフィールド（Ｉフィールド）と現フレームと単一の先行フレームから生成された予測符号化フィールド（Ｐフィールド）と現フレームおよび先行フレームと後続フレームの一方または両方から生成された双方向予測符号化フィールド（Ｂフィールド）で構成されるフィールドシーケンスを有する符号化ビデオ信号を受信し、受信したデータを圧縮解除（本願発明の復号化に相当）する受信装置に関するものであり、前記Ｉフィールド、Ｐフィールド及びＢフィールドは、それぞれ、本願発明の画面内符号化画像データ、前方向予測符号化画像データ及び両方向予測符号化画像データに相当する。
　また、上記（ｃ）ないし（ｅ）の記載からすると、刊行物１発明において、受信装置に備えられたトランスポート処理回路は、送信されてくる圧縮ビデオ信号のエラーを訂正し、訂正不能なエラーが発生したときは、システムコントローラへフラグを伝送し、コントローラは、訂正不能エラーによる画像の破壊を改善するために、破壊されていない信号に置き換えるようにするものである。ここで、上記記載（ｄ）、（ｅ）によれば、前記破壊されていない信号は正常に圧縮解除（復号化）された信号であることは明らかであり、また、前記訂正不能エラーによる画像データの表示タイミングで、破壊されていない信号が表示されることは明らかである。
　さらに、上記記載（ｆ）、（ｇ）及び第７図の記載からすると、刊行物１発明は、あるフィールドで発生したエラーはその後に続くフィールドに伝播する、例えば、Ｐフィールドのエラーは、その後に続くＢフィールド、Ｐフィールドに伝播するものであり、エラーがあるとされた圧縮解除画像データは、先行フィールドの信号で補間されたデータに置き換えられるものである。よって、エラーがあるとされた圧縮解除画像データの表示タイミングで、先行フィールドの信号で補間された信号が表示されることは明らかである。
　
　そうすると、本願発明と刊行物１発明は、
「少なくとも画面内符号化画像データ、前方向予測符号化画像データ及び両方向予測符号化画像データにより構成される画像データを復号化する動画像復号化装置であつて、
　伝送されて来る上記画像データに誤りがあつた場合に誤り訂正を行う誤り訂正手段と、
　上記誤り訂正手段で誤り訂正ができない上記画像データが前方向予測符号化画像データのときには、当該前方向予測符号化画像データ、及び当該前方向予測符号化画像データが正常に復号化できないことにより復号不能となった前方向予測符号化画像データ及び両方向予測符号化画像データの表示のタイミングで、正常に復号化された信号による画像を表示するよう制御する制御手段と
　を具えることを特徴とする動画像復号化装置。」
である点で一致し、次の点で一応相違すると認められる。
　相違点
　本願発明では、上記正常に復号化された信号による画像が、正常に復号化された先の画像であるのに対し、刊行物１発明では、正常に復号化された信号で補間された画像である点。
　
４．判断
　そこで、上記相違点について判断する。
　上記刊行物２には、上記２．（ｈ）のとおり、テレビ信号等の動画像の復号化装置において、伝送エラーによる受信画像の乱れを防止するため、受信信号にエラーが検出されると、復号化を停止し、正常に復号化された先の映像信号（前のフレームの映像信号）を表示することが記載されており、また、前記エラーが検出されたフレームの後に続くフレームにおける上記エラーが検出されたライン位置の信号は、リフレッシュラインによってリフレッシュされるまで、フレーム毎に前記正常に復号化された先の映像信号が表示されることは明らかである。
　そうすると、刊行物１発明に上記刊行物２に記載の事項を適用し、前方向予測符号化画像データ、及び当該前方向予測符号化画像データが正常に復号化できないことにより復号不能となった前方向予測符号化画像データ及び両方向予測符号化画像データの表示のタイミングで表示する画像を、正常に復号化された先の画像とすることは、当業者であれば、格別の創意工夫を要することなくなし得ることである。
　そして、上記相違点に基づく本願発明の効果についてみても、格別顕著なものとは認められない。
　
５．むすび
　以上のとおりであるから、本願発明は、刊行物１、２に記載された発明に基づいて当業者が容易に発明をすることができたものであり、したがって特許法第２９条第２項の規定により特許を受けることができない。
　それ故、本願は請求項１、３ないし６に係る発明について特に検討するまでもなく拒絶されるべきものである。
　よって、結論のとおり審決する。